(57)【要約】【課題】雄コネクタと雌コネクタを高い信頼性をもって接続できると共に、簡単な操作によって雄コネクタと雌コネクタの着脱を可能とすることができる、新規な構造のロック部材を提供する。【解決手段】雌コネクタ１４へ外挿されて取り付けられるスリーブ１６の外周側に位置して、スリーブ１６の長さ方向に延びる一対のロック用操作片１８，１８が配されており、各ロック用操作片１８の長さ方向の中間部分が連結部２０によってスリーブ１６に連結されていると共に、各ロック用操作片１８の長さ方向一方の端部側には雄コネクタ１２の外周部分に係止される係止爪２０が設けられている一方、各ロック用操作片１８の長さ方向他方の端部側が操作部２６とされており、一対のロック用操作片１８，１８の操作部２６，２６を手指で摘むことで係止爪２０，２０を相互に開いて雄コネクタ１２への係止を解除することができるようにした。【選択図】図２
2020189185.tif 000002
【特許請求の範囲】
【請求項１】
雄コネクタに雌コネクタを着脱可能に接続するコネクタ接続用ロック部材であって、
前記雌コネクタへ外挿されて取り付けられるスリーブの外周側に位置して、該スリーブの長さ方向に延びる一対のロック用操作片が配されており、各該ロック用操作片の長さ方向の中間部分が連結部によって該スリーブに連結されていると共に、各該ロック用操作片の長さ方向一方の端部側には前記雄コネクタの外周部分に係止される係止爪が設けられている一方、各該ロック用操作片の長さ方向他方の端部側が操作部とされており、かかる一対のロック用操作片における各該操作部を手指で摘むことで該一対のロック用操作片における各該係止爪を相互に開いて該雄コネクタへの係止を解除することができるようになっていることを特徴とするコネクタ接続用ロック部材。
【請求項２】
前記連結部が、前記スリーブの周方向に所定幅をもって該スリーブの外周面上に突出する板形状とされている請求項１に記載のコネクタ接続用ロック部材。
【請求項３】
前記係止爪が設けられた前記ロック用操作片の長さ方向一方の端部側の先端面において、前記スリーブの内周側に向かって軸方向内方に傾斜する案内面が形成されている請求項１又は２に記載のコネクタ接続用ロック部材。
【請求項４】
前記スリーブと前記雌コネクタが相対的に位置決めされている請求項１〜３の何れか１項に記載のコネクタ接続用ロック部材。
【請求項５】
雄コネクタに雌コネクタを着脱可能に接続するコネクタ接続用ロック部材であって、
前記雌コネクタへ外挿されて取り付けられるスリーブと、該スリーブの外周側に位置して、該スリーブの長さ方向に延びる一対のロック用操作片と、各該ロック用操作片とスリーブとを連結する連結部と、前記雄コネクタを係止する一対の係止爪とを有し、該一対のロック用操作片を手指で摘むことで該一対の係止爪が相互に開いて該雄コネクタへの係止を解除することができるようになっていることを特徴とするコネクタ接続用ロック部材。
【請求項６】
雄コネクタに雌コネクタを着脱可能に接続するコネクタ接続用ロック部材であって、
前記雌コネクタへ外挿されて取り付けられるスリーブと、該スリーブの外周側に位置して、該スリーブの長さ方向に延びるロック用操作片と、該ロック用操作片とスリーブとを連結する連結部と、前記雄コネクタを係止する係止爪とを有し、該ロック用操作片を手指で押圧することで該係止爪が該スリーブから外周側へ開き、該雄コネクタへの係止を解除することができるようになっていることを特徴とするコネクタ接続用ロック部材。
【請求項７】
前記雌コネクタの周壁が前記雄コネクタと前記スリーブとの間で当接状態で挟まれるようになっていると共に、前記連結部が撓み変形可能とされている請求項１〜６の何れか１項に記載のコネクタ接続用ロック部材。
【発明の詳細な説明】
【技術分野】
【０００１】
本発明は、雄コネクタと雌コネクタを着脱可能に接続するコネクタ接続用ロック部材に関するものである。
【背景技術】
【０００２】
従来から、例えば経管栄養療法において、経管栄養剤の容器（パウチ）に設けられた雄コネクタに、チューブの端部に設けられた雌コネクタを接続して、かかる容器からチューブを介して栄養剤を患者の体内に注入することが、一般的に行われている。
【０００３】
ところで、経管栄養療法において、雄コネクタと雌コネクタは、通常では接続が解除されるほどの大きな力が作用することはなく、一般的に内外挿状態で嵌め合わされて、非接着で簡易に接続可能とされている。具体的には、例えば、雌コネクタが医療用シリコンゴム等の弾性体で形成されており、雄コネクタを雌コネクタに対して押し入れるだけで、雌コネクタの弾性に基づいて充分な接続強度を得ることができる。
【０００４】
ところが、例えば、患者等がチューブを引っ張る等して、雄コネクタと雌コネクタの接続部分に予期しない大きな力が及ぼされると、雄コネクタと雌コネクタの接続が不用意に解除されて、栄養剤が流出する等の不具合を生じるおそれがあった。
【０００５】
そこで、特許第５１２０６７３号公報（特許文献１）では、雄コネクタに対するロック手段を備えたメス型コネクタが提案されている。このメス型コネクタは、特許文献１の［図２９］〜［図３０］に示されているように、雄コネクタ（２７０）を雌コネクタとしてのアダプタ（１１０）に挿入した後、アダプタ（１１０）に外挿されたハンドル（２２０）を雄コネクタ（２７０）に対して相対回転させることで、雄コネクタ（２７０）とハンドル（２２０）が軸方向に係止されて軸方向の抜けが防止されるようになっている。
【０００６】
しかし、特許文献１の構造では、ロック部分を外部から目視等で確認することが難しいことから、正しく接続されているか否かはロック操作時に手応えで判断するしかなく、栄養剤の注入中等には確認することが難しかった。
【０００７】
しかも、雄コネクタにハンドルを外挿してから、更にハンドルを雄コネクタに対して捻って相対回転させる操作が必要となることから、接続操作も従来に比して煩雑であって、医療従事者の負担が増すおそれもあった。
【０００８】
なお、特許文献１の［図３３］〜［図３６］には、参考例として、捻り操作を必要としない構造のハンドルも開示されている。即ち、かかるハンドルには、雄コネクタ（３７０）の鍔部（３８４）に係止される一対の係合爪（３４０，３４０）と、該係合爪を操作するための一対の操作部（３３１，３３１）が設けられている。そして、一対の操作部（３３１，３３１）を径方向外側から摘んで力を加えることで一対の係合爪（３４０，３４０）を開いて、雄コネクタ（３７０）の鍔部（３８４）に対して当該一対の係合爪（３４０，３４０）を係止させたり係止解除させることができるようになっている。
【０００９】
ところが、特許文献１の［図３３］〜［図３６］に示された構造では、操作部（３３１）と係合爪（３４０）を含む全体が厚肉とされており、アダプタ（１１０）に外挿されるリング状のフレーム（３３０）と一体形成されている。そして、操作部（３３１）に力を加えるとフレーム（３３０）自体が撓み変形して、操作部（３３１）が傾くようになっている。それ故、［図３６］に明示されているように、アダプタ（１１０）とフレーム（３３０）との間に大きな隙間を設けてフレーム（３３０）の撓み変形を許容する必要があった。そのために、操作部（３３１）に力を及ぼした際に、フレーム（３３０）自体が変形してアダプタ（１１０）に対する位置決めが不十分となってしまうことに加えて、アダプタ（１１０）とフレーム（３３０）との間の隙間にも起因して、ハンドル全体がガタついたり傾いたりして非常に操作し難いという問題があった。また、操作部（３３１）を操作して係合爪（３４０）を開く際に、リング状のフレーム（３３０）自体を全体的に撓ませる必要があることから、大きな操作力も必要になり、雄コネクタ（２７０）とアダプタ（１１０）の着脱作業に支障がでるおそれもあった。
【先行技術文献】
【特許文献】
【００１０】
【特許文献１】特許第５１２０６７３号公報
【発明の概要】
【発明が解決しようとする課題】
【００１１】
本発明は、上述の事情を背景に為されたものであって、その解決課題は、雄コネクタと雌コネクタの接続状態を高い信頼性をもって維持できると共に、簡単な操作によって雄コネクタと雌コネクタを接続および分離させることができる、新規な構造のロック部材を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。
【００１３】
すなわち、本発明の第１の態様は、雄コネクタに雌コネクタを着脱可能に接続するコネクタ接続用ロック部材であって、前記雌コネクタへ外挿されて取り付けられるスリーブの外周側に位置して、該スリーブの長さ方向に延びる一対のロック用操作片が配されており、各該ロック用操作片の長さ方向の中間部分が連結部によって該スリーブに連結されていると共に、各該ロック用操作片の長さ方向一方の端部側には前記雄コネクタの外周部分に係止される係止爪が設けられている一方、各該ロック用操作片の長さ方向他方の端部側が操作部とされており、かかる一対のロック用操作片における各該操作部を手指で摘むことで該一対のロック用操作片における各該係止爪を相互に開いて該雄コネクタへの係止を解除することができるようになっていることを、特徴とする。
【００１４】
このような第１の態様に従う構造とされたコネクタ接続用ロック部材によれば、スリーブが雌コネクタに外挿されて取り付けられた状態で、係止爪が雄コネクタの外周部分に係止されることにより、雄コネクタと雌コネクタの相対変位が制限されて抜けが防止される。それ故、雄コネクタと雌コネクタの接続部分に、コネクタ内を流れる栄養剤や薬液等の圧力や外部からの引張力等が作用しても、雄コネクタと雌コネクタの接続が不用意に解除されることがなく、栄養剤や薬液等の接続部分における漏れが防止される。
【００１５】
さらに、一対のロック用操作片の各操作部を手指で摘んでかかる一対のロック用操作片の各係止爪を相互に開くことにより、それら各係止爪と雄コネクタの外周部分との係止が解除されるようになっている。従って、医療従事者が雄コネクタと雌コネクタの接続を意図的に解除する際には、簡単な操作によって接続を解除することが可能とされている。
【００１６】
しかも、雌コネクタに外挿されて取り付けられるスリーブが設けられていることから、一対のロック用操作片の各操作部を手指で摘んで外力を加える際に、雄コネクタおよび雌コネクタに対するコネクタ接続用ロック部材の相対的な傾動が抑えられて、安定した係止解除操作が可能である。
【００１７】
本発明の第２の態様は、第１の態様に記載されたコネクタ接続用ロック部材において、前記連結部が、前記スリーブの周方向に所定幅をもって該スリーブの外周面上に突出する板形状とされているものである。
【００１８】
第２の態様によれば、連結部が板形状とされることで、厚さ方向の可撓性を設定しつつ、スリーブの周方向および径方向では充分な強度を設定することができる。それ故、一対のロック用操作片の各操作部を手指で摘んで操作する際に、連結部において厚さ方向の撓み変形が生じる一方で他の方向への変形が防止されて、各係止爪をスムーズに開くことができる。
【００１９】
本発明の第３の態様は、第１又は第２の態様に記載されたコネクタ接続用ロック部材であって、前記係止爪が設けられた前記ロック用操作片の長さ方向一方の端部側の先端面において、前記スリーブの内周側に向かって軸方向内方に傾斜する案内面が形成されているものである。
【００２０】
第３の態様によれば、係止爪を雄コネクタの外周部分に係止させる際に、一対のロック用操作片の各操作部を摘んで各係止爪を相互に開く操作を必ずしも必要とすることなく、コネクタ接続用ロック部材を雄コネクタに対してロック用操作片の長さ方向一方側に押し進めることで、より簡単に係止させることができる。蓋し、係止爪を係止される雄コネクタの外周部分が案内面に押し当てられることで、各係止爪が雄コネクタによって押し開かれて、雄コネクタの外周部分を乗り越えて係止され得るからである。
【００２１】
本発明の第４の態様は、第１〜第３の何れか１つの態様に記載されたコネクタ接続用ロック部材において、前記スリーブと前記雌コネクタが相対的に位置決めされているものである。
【００２２】
第４の態様によれば、スリーブが雌コネクタに接続されているチューブなどの上に移動して位置してしまうのを防止して、使用者が簡易にロック操作を行うことができる。
【００２３】
本発明の第５の態様は、雄コネクタに雌コネクタを着脱可能に接続するコネクタ接続用ロック部材であって、前記雌コネクタへ外挿されて取り付けられるスリーブと、該スリーブの外周側に位置して、該スリーブの長さ方向に延びる一対のロック用操作片と、各該ロック用操作片とスリーブとを連結する連結部と、前記雄コネクタを係止する一対の係止爪とを有し、該一対のロック用操作片を手指で摘むことで該一対の係止爪が相互に開いて該雄コネクタへの係止を解除することができるようになっていることを、特徴とする。
【００２４】
第５の態様によれば、一対のロック用操作片を手指で摘んで一対の係止爪を相互に開くことにより、各係止爪と雄コネクタとの係止が解除されるようになっている。従って、医療従事者が雄コネクタと雌コネクタの接続を意図的に解除する際には、簡単な操作によって接続を解除することが可能とされている。しかも、雌コネクタに外挿されて取り付けられるスリーブとは別にロック用操作片が設けられていることから、一対のロック用操作片を手指で摘んで外力を加える際に、雄コネクタおよび雌コネクタに対するスリーブの相対的な傾動が抑えられて、安定した係止解除操作が可能である。
【００２５】
本発明の第６の態様は、雄コネクタに雌コネクタを着脱可能に接続するコネクタ接続用ロック部材であって、前記雌コネクタへ外挿されて取り付けられるスリーブと、該スリーブの外周側に位置して、該スリーブの長さ方向に延びるロック用操作片と、該ロック用操作片とスリーブとを連結する連結部と、前記雄コネクタを係止する係止爪とを有し、該ロック用操作片を手指で押圧することで該係止爪が該スリーブから外周側へ開き、該雄コネクタへの係止を解除することができるようになっていることを、特徴とする。
【００２６】
第６の態様によれば、ロック用操作片を手指で押圧してかかるロック用操作片の係止爪を外周側に移動させることにより、係止爪と雄コネクタとの係止が解除されるようになっている。従って、医療従事者が雄コネクタと雌コネクタの接続を意図的に解除する際には、簡単な操作によって接続を解除することが可能とされている。しかも、雌コネクタに外挿されて取り付けられるスリーブとは別にロック用操作片が設けられていることから、ロック用操作片を手指で押圧して外力を加える際に、雄コネクタおよび雌コネクタに対するスリーブの相対的な傾動が抑えられて、安定した係止解除操作が可能である。
【００２７】
本発明の第７の態様は、第１〜第６の何れか１つの態様に記載されたコネクタ接続用ロック部材において、前記雌コネクタの周壁が前記雄コネクタと前記スリーブとの間で当接状態で挟まれるようになっていると共に、前記連結部が撓み変形可能とされているものである。
【００２８】
第７の態様によれば、雌コネクタの周壁が雄コネクタとスリーブとの間で当接状態で挟まれて装着されることとなり、連結部が撓むことでロック用操作片の雄コネクタへの係止が解除可能とされる。
【発明の効果】
【００２９】
本発明によれば、スリーブが雌コネクタに外挿装着されると共に、係止爪が雄コネクタに係止されることで、雄コネクタと雌コネクタを簡単にロックして、それら雄コネクタと雌コネクタの接続が意図せずに解除されるのを防ぐことができる。更に、ロック用操作片を手指で摘んで係止爪を開くことで、係止爪と雄コネクタとの係止を簡単に解除して、雄コネクタと雌コネクタの接続を解除することができる。しかも、スリーブが雌コネクタに外挿されていると共にスリーブの外周側にロック用操作片が設けられているため、ロック用操作片に手指で外力を及ぼす際に、コネクタ接続用ロック部材が雄コネクタおよび雌コネクタに対して相対傾動するのを防いで、各係止爪と雄コネクタとの係止を安定して解除することができる。
【図面の簡単な説明】
【００３０】
【図１】本発明の第１の実施形態としてのコネクタ接続用ロック部材の使用状態を示す図。
【図２】図１に示されたコネクタ接続用ロック部材を単体で示す斜視図。
【図３】図２に示されたコネクタ接続用ロック部材の正面図。
【図４】図２に示されたコネクタ接続用ロック部材の右側面図。
【図５】図２に示されたコネクタ接続用ロック部材の平面図。
【図６】図２に示されたコネクタ接続用ロック部材の底面図。
【図７】図５のＶＩＩ−ＶＩＩ断面図。
【図８】図５のＶＩＩＩ−ＶＩＩＩ断面図。
【図９】図２に示されたコネクタ接続用ロック部材を雄コネクタおよび雌コネクタへの装着状態で示す斜視図。
【図１０】図９に示されたコネクタ接続用ロック部材の雄コネクタおよび雌コネクタへの装着状態を示す縦断面図であって、図１３のＸ−Ｘ断面図。
【図１１】図９に示されたコネクタ接続用ロック部材の雄コネクタおよび雌コネクタへの装着状態を示す縦断面図であって、図１３のＸＩ−ＸＩ断面図。
【図１２】図２に示されたコネクタ接続用ロック部材を装着する工程を説明する図であって、（ａ）が係止爪の案内面が係合突部に当接した状態を、（ｂ）が係止爪が係合突部を乗り越える状態を、（ｃ）が係止爪が係合突部に係止された状態を、（ｄ）が操作部を手指で摘んで係止爪を開いた係止解除状態を、それぞれ示す。
【図１３】図１０のＸＩＩＩ−ＸＩＩＩ断面図。
【図１４】本発明の第２の実施形態としてのコネクタ接続用ロック部材を単体で示す斜視図。
【図１５】図１４に示されたコネクタ接続用ロック部材の正面図。
【図１６】図１４に示されたコネクタ接続用ロック部材の右側面図。
【図１７】図１４に示されたコネクタ接続用ロック部材の平面図。
【図１８】図１４に示されたコネクタ接続用ロック部材の底面図。
【図１９】図１７のＸＩＸ−ＸＩＸ断面図。
【図２０】図１７のＸＸ−ＸＸ断面図。
【図２１】図１４に示されたコネクタ接続用ロック部材を雄コネクタおよび雌コネクタへの装着状態で示す斜視図。
【図２２】図２１に示されたコネクタ接続用ロック部材の雄コネクタおよび雌コネクタへの装着状態を示す縦断面図であって、図２４のＸＸＩＩ−ＸＸＩＩ断面図。
【図２３】図２１に示されたコネクタ接続用ロック部材の雄コネクタおよび雌コネクタへの装着状態を示す縦断面図であって、図２４のＸＸＩＩＩ−ＸＸＩＩＩ断面図。
【図２４】図２２のＸＸＩＶ−ＸＸＩＶ断面図。
【図２５】図２２のＸＸＶ−ＸＸＶ断面図。
【発明を実施するための形態】
【００３１】
以下、本発明の実施形態について、図面を参照しつつ説明する。
【００３２】
図１には、本発明の第１の実施形態としてのコネクタ接続用ロック部材１０（以下、ロック部材１０と称する）が、雄コネクタ１２と雌コネクタ１４を着脱可能に接続した使用状態で示されている。また、図２〜８には、ロック部材１０が雄コネクタ１２および雌コネクタ１４に取り付けられる前の単体状態で示されている。
【００３３】
より詳細には、ロック部材１０は、全体として硬質の合成樹脂で形成されており、図２〜８に示すように、筒状のスリーブ１６を備えている。このスリーブ１６は、図７，図８に示すように、略一定の円形断面で直線的に延びており、本実施形態では、上部の内周面が開口側に向かって次第に拡径するテーパ形状とされている。
【００３４】
また、スリーブ１６の外周側には、一対のロック用操作片１８，１８が配されている。ロック用操作片１８は、周方向に所定の幅をもってスリーブ１６の長さ方向に延びる略長手板状であって、長さ方向（図３中の上下方向）の中間部分が可撓性の連結部２０によってスリーブ１６に連結されている。連結部２０は、周方向に所定の幅でスリーブ１６の外周面上に突出する板形状とされており、厚さ方向の撓み変形を許容されている。なお、一対のロック用操作片１８，１８は、スリーブ１６の径方向一方向で相互に対向して配置されている。
【００３５】
さらに、各ロック用操作片１８の長さ方向一方の端部（図３中の上端部）には、係止爪２２がスリーブ１６の内周側に向かって突出するように形成されている。更に、係止爪２２は、ロック用操作片１８の長さ方向で一方側に位置する端面が、スリーブ１６の内周側に向かって軸方向内方に傾斜する案内面２４とされている一方、他方側に位置する端面がスリーブ１６の軸直角方向に広がっている。
【００３６】
さらに、各ロック用操作片１８における連結部２０よりも長さ方向他方の端部側（図３中の下側）は、操作部２６とされている。操作部２６は、スリーブ１６の長さ方向に延びる板状とされていると共に、連結部２０から長さ方向先端側（長さ方向他方側）に向かって次第にスリーブ１６の外周側へ広がっている。本実施形態では、操作部２６の外面にそれぞれ逆向き三角形状の３つの突起が形成されており、触感によって操作部２６の表面を確認可能とされている。
【００３７】
また、一対のロック用操作片１８，１８の周方向間には、一対の位置決め用当接片２８，２８が形成されている。位置決め用当接片２８は、周方向に所定の幅をもって上下に延びる略長手板状とされており、スリーブ１６に固設されている。更に、本実施形態の位置決め用当接片２８は下端部の外周面が抉られており、一対の位置決め用当接片２８，２８を手指で摘み易くなっている。なお、ロック用操作片１８の操作部２６と同様に、位置決め用当接片２８の外面に略三角形の突起が形成されていることで、指先の触感によって位置決め用当接片２８の下部を把握できるようになっている。
【００３８】
なお、本実施形態のロック部材１０では、スリーブ１６と、一対のロック用操作片１８，１８と、一対の位置決め用当接片２８，２８とが、一体で形成されている。それらスリーブ１６と、一対のロック用操作片１８，１８と、一対の位置決め用当接片２８，２８との形成材料は、特に限定されるものではないが、例えば、ポリカーボネート、ポリアセタール、ポリプロピレン樹脂、ポリ塩化ビニル樹脂等が好適に採用される。
【００３９】
このような構造とされたロック部材１０は、図１に示すように、雄コネクタ１２と雌コネクタ１４の接続部分に取り付けられている。即ち、雄コネクタ１２は、図９〜１１に示すように、固着部３０から嵌着筒部３２が突出した構造とされている。固着部３０は、略扁平菱形断面を有していると共に、軸方向に貫通する貫通孔を備えている。そして、固着部３０は、栄養剤を収容するパウチ３４に熱溶着等の手段で固着されており、固着部３０の貫通孔がパウチ３４の内部に連通されている。なお、パウチ３４は、一般的に知られるように、２枚のシートを重ね合わせて外周部分をヒートシール等の方法で相互に固着した袋状のものであって、例えば、バリア性の向上のために酸化アルミニウム等を蒸着させた樹脂シートと、内容物の視認性を確保するために少なくとも一部が透明とされた樹脂シートとを相互に重ね合わせて、外周部分を溶着することにより形成される。このようなパウチ３４の製造時に、雄コネクタ１２の固着部３０を２枚のシートの間に挟み込んだ状態でそれら２枚のシートを溶着することにより、固着部３０がパウチ３４に取り付けられて、固着部３０の貫通孔がパウチ３４内に連通されている。
【００４０】
固着部３０から突出する嵌着筒部３２は、先端に向かって次第に小径となる雄ルアーテーパを備えた筒状であって、その内腔が固着部３０に貫通形成された貫通孔に連通されていると共に、その外周面には後述する雌コネクタ１４との嵌合状態で抜けに対する抵抗を大きくするための凹凸が形成されている。更に、固着部３０側となる嵌着筒部３２の基端部分には、外周側に向かってフランジ状に突出する略円環板形状の位置決め突部３６が一体形成されている。更にまた、位置決め突部３６の周上には、位置決め突部３６の突出先端から更に外周側に突出する一対の係合突部３８，３８が、互いに径方向で対向する部位に形成されている。
【００４１】
そして、固着部３０と嵌着筒部３２を備えた雄コネクタ１２は、上述の如く固着部３０がパウチ３４に取り付けられており、パウチ３４の内容物を外部に取り出すためのポートとして機能するようになっている。なお、雄コネクタ１２の形成材料は、特に限定されるものではないが、ロック部材１０と同様に硬質であることが望ましく、例えば、ポリエチレン、ポリプロピレン、ポリアセタール、ポリ塩化ビニル、ポリエチレンテレフタレート等が採用され得る。
【００４２】
また、雌コネクタ１４は、ゴム弾性体やゴム状弾性を示す高分子エラストマ等で形成されており、先端に向かって次第に小径となる雌ルアーテーパを備えた筒状本体部４０を備えている。更に、筒状本体部４０の基端部には、外周側に広がるフランジ部４２が一体形成されている。なお、雌コネクタ１４の形成材料も特に限定されないが、ロック部材１０および雄コネクタ１２に比して軟質の弾性材料が望ましく、例えば、天然ゴムや合成ゴムの他、ポリアミド樹脂、ポリ塩化ビニル樹脂、ＡＢＳ樹脂、ポリウレタン樹脂、エチレン−酢酸ビニル共重合体等が採用され得る。
【００４３】
このような構造とされた雄コネクタ１２と雌コネクタ１４は、雌コネクタ１４の基端側開口から雄コネクタ１２の嵌着筒部３２が挿入されて、嵌着筒部３２の外周面と雌コネクタ１４の内周面とが雌コネクタ１４の弾性に基づいて密着されることで、相互に接続されるようになっている。本実施形態では、雄コネクタ１２の嵌着筒部３２の外周面に形成された環状の凹凸が雌コネクタ１４の内周面に密着されることで、嵌着筒部３２が雌コネクタ１４から抜け難くなっている。なお、図中では明記されていないが、雌コネクタ１４の筒状本体部４０の先端側には、チューブが接続されており、雄コネクタ１２を通じて外部に取り出されるパウチ３４の内容物（経管栄養剤）が、雌コネクタ１４およびチューブを介して患者の体内に注入されるようになっている。
【００４４】
ここにおいて、雄コネクタ１２と雌コネクタ１４の接続部分には、コネクタ接続用ロック部材１０が配設されることにより、雄コネクタ１２と雌コネクタ１４が着脱可能に且つ意図しない抜けを防止されたロック状態で接続されている。
【００４５】
すなわち、先ず、図１２（ａ）に示すように、雄コネクタ１２と雌コネクタ１４を内外挿状態で相互に嵌合した状態で、雌コネクタ１４にスリーブ１６を外挿装着し、ロック部材１０を雌コネクタ１４の基端側（雄コネクタ１２側）に変位させる。本実施形態では、スリーブ１６の上部内径が開口に向かって次第に大きくなっていることから、雌コネクタ１４をスリーブ１６に挿入し易くなっている。また、雌コネクタ１４の筒状本体部４０の基端部分には、外周側に突出する複数のリブが設けられており、リブの形成部分において筒状本体部４０の外周面がスリーブ１６の内周面に当接するようになっている。
【００４６】
そして、一対のロック用操作片１８，１８の各係止爪２２の各案内面２４が雄コネクタ１２の一対の係合突部３８，３８に当接した図１２（ａ）の状態から、ロック部材１０を更に基端側へ押し進めることで、各係止爪２２には一対のロック用操作片１８，１８の対向方向で外向きの力が作用する。この外向きの力が一対のロック用操作片１８，１８に及ぼされることで、それら一対のロック用操作片１８，１８をスリーブ１６に連結する各連結部２０が厚さ方向に撓んで、図１２（ｂ）に示すように、係止爪２２，２２が相互に離隔して開くようになっている。
【００４７】
これにより、係止爪２２，２２は、一対の係合突部３８，３８を乗り越えて基端側に移動可能とされており、係止爪２２，２２が一対の係合突部３８，３８を乗り越えたところで、連結部２０，２０の弾性によって係止爪２２，２２が一対の係合突部３８，３８の上方に差し入れられる（図１２（ｃ））。その結果、係止爪２２，２２が雄コネクタ１２の外周部分に設けられた一対の係合突部３８，３８に対して軸方向に係止されて、雄コネクタ１２がロック部材１０に対する基端側への相対変位を制限される。一方、スリーブ１６が雌コネクタ１４のフランジ部４２に対して軸方向に係止されることにより、雌コネクタ１４がロック部材１０に対する先端側への相対変位を制限される。これらにより、軸方向の引張力に対して、雄コネクタ１２と雌コネクタ１４の抜けがロック部材１０によって防止されて、不意の抜け力等に対しても、雄コネクタ１２と雌コネクタ１４の接続状態が安定して維持されるようになっている。
【００４８】
なお、一対のロック用操作片１８，１８の各操作部２６を指で摘んで外力を及ぼすことで、係止爪２２，２２を相互に開くことも可能であるが、本実施形態ではロック部材１０を軸方向に押し進めるだけで、案内面２４の案内作用によって係止爪２２，２２が相互に開くようになっている。従って、ロック操作時には、作業者は、一対のロック用操作片１８，１８の各操作部２６を手指で摘む必要がなく、スリーブ１６の外周面上に固設された一対の位置決め用当接片２８，２８を摘んで操作することで、軸方向の力を効率的に及ぼすことが可能となっている。
【００４９】
また、図１３に示すように、各係止爪２２の下面に形成された段差部４４が、各係合突部３８の上面に形成された段差部４６に対して周方向に係止されており、ロック部材１０と雄コネクタ１２が周方向で相対的に位置決めされている。更に、雄コネクタ１２の係合突部３８は、ロック部材１０の一対の位置決め用当接片２８，２８の周方向間に差し入れられており、係合突部３８と位置決め用当接片２８の周方向端面との当接によっても、ロック部材１０と雄コネクタ１２が周方向で相対的に位置決めされている。なお、本実施形態における周方向位置決め用の当接面は、一対の位置決め用当接片２８，２８の周方向端面で構成されている。
【００５０】
さらに、図１３からも明らかなように、雄コネクタ１２の位置決め突部３６がロック部材１０の一対の位置決め用当接片２８，２８の対向面間に差し入れられることにより、ロック部材１０と雄コネクタ１２の径方向での相対位置も容易に決まるようになっている。特に、位置決め突部３６が周方向に湾曲する位置決め用当接片２８の周方向端部付近に当接することで、一対の位置決め用当接片２８，２８の対向方向のみならず、他の径方向においてもロック部材１０と雄コネクタ１２の相対位置が決まるようになっている。
【００５１】
一方、ロック部材１０では、一対のロック用操作片１８，１８を手指４８で摘んで操作することで、雄コネクタ１２と雌コネクタ１４の接続を解除可能とされている。即ち、ロック部材１０では、図１２（ｄ）に示すように、一対のロック用操作片１８，１８の各操作部２６を手指４８で摘んで、係止爪２２，２２を相互に離隔するように開くことで、係止爪２２と雄コネクタ１２の係合突部３８との係止を解除することができるようになっている。そして、操作部２６，２６を手指４８で摘みながら、ロック部材１０を雄コネクタ１２から先端側に引き抜くことにより、ロック部材１０による雄コネクタ１２と雌コネクタ１４の位置決めが解除されて、雄コネクタ１２の嵌着筒部３２を雌コネクタ１４の筒状本体部４０から引き抜くことができる。以上により、雄コネクタ１２と雌コネクタ１４の接続が解除されるようになっている。
【００５２】
ここにおいて、ロック部材１０では、筒形のスリーブ１６が雌コネクタ１４に外挿された状態で、一対のロック用操作片１８，１８における各操作部２６に手指４８で力を加えることから、操作部２６，２６に作用する力が均等ではない場合にも、雄コネクタ１２および雌コネクタ１４に対するロック部材１０の相対的な傾動が防止される。従って、手指４８による力が係止爪２２，２２を相互に開くために効率的に作用して、係止爪２２の係合突部３８に対する係止が安定して簡単に解除される。
【００５３】
さらに、操作部２６，２６を手指４８で摘むことによって、一対のロック用操作片１８，１８をスリーブ１６に連結する各連結部２０に撓み変形が生じるようになっており、操作部２６，２６への入力に対して各連結部２０を支点とするてこの原理によって係止爪２２，２２が効率的に開くようになっている。特に本実施形態の連結部２０は、周方向に所定の幅をもってスリーブ１６から外周側に延び出す板形状とされており、操作部２６，２６に力が及ぼされると、各連結部２０において厚さ方向の撓み変形が支配的に生じることから、係止爪２２，２２が安定して相互に開いて、係止爪２２，２２と係合突部３８，３８の係止がより容易に且つ高い信頼性をもって解除される。
【００５４】
さらに、操作部２６，２６はスリーブ１６の外周側に位置しているため、操作部がスリーブの長さ方向に突出して形成されている場合に比べて、操作時のスリーブ１６の歪みが生じにくい。このため、一対のロック用操作片１８，１８を手指で摘む際、各操作部２６に略均等に力を及ぼして一対のロック用操作片１８，１８をスリーブ１６に対して略等しく傾動させやすくなっている。
【００５５】
図１４〜２０には、本発明の第２の実施形態としてのコネクタ接続用ロック部材５０が示されている。以下の説明において、第１の実施形態のコネクタ接続用ロック部材１０と実質的に同一の部材および部位については、図中に同一の符号を付すことにより、説明を省略する。
【００５６】
本実施形態のコネクタ接続用ロック部材５０（以下、ロック部材５０）は、略円筒形状とされたスリーブ１６の外周側に、一対のロック用操作片５２，５２と一対の位置決め用当接片２８，２８とを備えている。各ロック用操作片５２は、その上端部に周方向で相互に離隔した２つの係止爪５４，５６を備えており、それら係止爪５４，５６がそれぞれ内周側に突出していると共に、それら係止爪５４，５６の周方向間には内周側に開口する凹所５８が形成されている。なお、各係止爪５４，５６の上端面には、スリーブ１６の内周側に向かって軸方向内方に傾斜する案内面６０が形成されている。
【００５７】
そして、一対のロック用操作片５２，５２は、中間部分がスリーブ１６に対してそれぞれ板形状の連結部２０で連結されており、各連結部２０の厚さ方向での撓み変形によってスリーブ１６に対する傾動を許容されている。これにより、一対のロック用操作片５２，５２における各操作部２６を手指４８で摘むことによって、一対のロック用操作片５２，５２の長さ方向一方の端部を相互に離隔させて、一対のロック用操作片５２，５２に形成されて互いに対向配置された係止爪５４，５６と係止爪５４，５６とを相互に開くことができるようになっている。なお、ロック用操作片５２の中間部分とは、操作部２６と係止爪５４，５６との間にある領域を指し、操作部２６は連結部２０から係止爪５４，５６の他方側に少しでも延びていれば良い。
【００５８】
このような構造とされたロック部材５０は、図２１〜２５に示すように、雄コネクタ１２と雌コネクタ１４の接続部分に配設されている。即ち、スリーブ１６が雌コネクタ１４の筒状本体部４０に外挿されて取り付けられると共に、雄コネクタ１２の嵌着筒部３２の基端部に設けられたフランジ状の係合突部６２に対して、一対のロック用操作片５２，５２の各係止爪５４，５６が係止される。これにより、ロック部材５０は、雄コネクタ１２および雌コネクタ１４に対して軸方向でそれぞれ相対的に位置決めされて、雄コネクタ１２と雌コネクタ１４の接続部分に配設されており、雄コネクタ１２と雌コネクタ１４の軸方向での抜けがロック部材５０によって防止されている。
【００５９】
また、各ロック用操作片５２に形成された２つの係止爪５４，５６の周方向間には凹所５８が形成されており、雄コネクタ１２の係合突部６２から更に外周側に突出する当接突部６４が凹所５８内に配置されている（図２５参照）。これにより、ロック部材５０の雄コネクタ１２に対する周方向の相対回転量が、当接突部６４と係止爪５４，５６の周方向端面との当接によって制限されており、ロック部材５０と雄コネクタ１２が周方向で相対的に位置決めされている。
【００６０】
なお、本実施形態のロック部材５０においても、第１の実施形態と同様に、一対のロック用操作片５２，５２の各操作部２６を手指４８で摘んで力を加えることで、雄コネクタ１２に対する各係止爪５４，５６の係止を解除可能となっている。そして、一対のロック用操作片５２，５２に設けられた各係止爪５４，５６と雄コネクタ１２との係止を解除しつつ、ロック部材５０を雄コネクタ１２に対して軸方向先端側に変位させることで、雄コネクタ１２と雌コネクタ１４のロック部材５０による接続を解除して、雄コネクタ１２を雌コネクタ１４から取り外すことができる。ここにおいて、本実施形態のロック部材５０は、第１の実施形態のロック部材１０と同様に筒状のスリーブ１６を備えており、一対のロック用操作片５２，５２の各操作部２６を手指４８で操作する際に、スリーブ１６が雌コネクタ１４に外挿されていることから、一対のロック用操作片５２，５２に効率的に力を加えて、各係止爪５４，５６と雄コネクタ１２の係合突部６２との係止を有効に解除することができる。
【００６１】
以上、本発明の実施形態について詳述してきたが、本発明はその具体的な記載によって限定されない。例えば、前記実施形態では連結部２０として板形状のものを例示したが、連結部は、板状に限定されるものではなく、例えば、スリーブ１６から外周側に延び出す棒状等であっても良い。また、前記実施形態では、各連結部２０は可撓性を有しており、一対のロック用操作片１８，１８の操作時には各連結部２０の変形によって各係止爪２４が容易に開くようになっている。しかしながら、連結部の材質として非可撓性の材質を採用することも可能である。例えば、操作部と連結部とを別体とし、特許第５０９６４４６号公報や特開２０００−１４０１０９号公報などのように操作部が連結部と独立して回動するような構成であれば、連結部は非可撓性の材質であっても好適に採用される。このような場合、可撓性の連結部を採用した場合に比べ、連結部は放射方向に大きく延びる必要がなく、小型化することができる。さらに、ロック用操作片１８の係止爪２４を内側に付勢するバネ手段を設けることで、係止爪２４が常に内側に付勢されている状態とすることもできる。
【００６２】
前記実施形態では、スリーブ１６と連結部２０は一部材で形成されているが、スリーブ１６と連結部２０とを別部材で構成することも可能である。例えば、連結部２０をリング状とし、スリーブ１６に外挿させ、溶着等による接合、接着剤による接着、摩擦や凹凸による係合などによって固定させる形態であっても良い。
【００６３】
また、雄コネクタと雌コネクタの接続時にも一対のロック用操作片の各操作部を手指で摘んで、一対のロック用操作片の各係止爪を相互に開くようにすれば、各係止爪の先端面に案内面はなくても良い。なお、案内面があることで、手指で摘むことなく、コネクタ接続用ロック部材を雄コネクタに押し当てるだけで、雄コネクタと雌コネクタを確実にロックさせることが可能となるため、案内面がある方が好ましい。
【００６４】
また、前記実施形態では、ロック用操作片の連結部はスリーブの長さ方向中間部分に設けられているが、スリーブの長さ方向端部に設けられていても良い。
【００６５】
また、前記実施形態では、経管栄養剤のパウチ３４に設けられた雄コネクタ１２と、チューブの端部に設けられた雌コネクタ１４との接続部分に本発明に係るコネクタ接続用ロック部材１０，５０を適用した例を示したが、本発明を適用可能な構造は前記実施形態の記載によって限定解釈されるべきではない。具体的には、例えば、雄コネクタ１２と雌コネクタ１４が何れもチューブの端部に設けられるものであって、それら雄コネクタ１２と雌コネクタ１４の接続部分に本発明に係るコネクタ接続用ロック部材１０，５０を適用することもできる。
【００６６】
また、前記実施形態では、コネクタ接続用ロック部材は雌コネクタに接続されたチューブ上を移動可能な態様であるが、コネクタ接続用ロック部材のスリーブは、雌コネクタに外挿されて、雌コネクタに対して位置決めされていても良い。具体的には、例えば、コネクタ接続用ロック部材の製造段階において、コネクタ接続用ロック部材のスリーブを雌コネクタに外挿した後に、雌コネクタの先端側の端部（図１０における下側の端部）に、コネクタ接続用ロック部材が通過不可能な外径を有する環状部材を固定することで実現可能である。当該態様であれば、コネクタ接続用ロック部材のスリーブが雌コネクタの先端側に接続されるチューブなどの上に位置してしまう事態がなくなるため、使用者は簡易にロック操作を行うことができる。
【００６７】
さらに、コネクタ接続用ロック部材が通過不可能な外径を有する環状部材を雌コネクタ１４の基端側であるフランジ４２の近くに設けることで、コネクタ接続用ロック部材を雌コネクタ１４に対して軸方向に移動不可能に位置決めすることもできる。
【００６８】
更にまた、コネクタ接続用ロック部材は雌コネクタに対する回動を制限されていても良い。当該態様は、例えば、雌コネクタの外周面に突出して軸方向に延びる突条部を形成すると共に、スリーブの内周面には該突条部が差し入れられて周方向に係止される凹部を形成することにより、コネクタ接続用ロック部材を雌コネクタに対して周方向で位置決めすることで実現可能である。
【００６９】
なお、コネクタ接続用ロック部材は雌コネクタに対して、軸方向および周方向の両方で位置決めされていても良い。当該態様は、上記の如き軸方向での位置決め構造と周方向での位置決め構造とを組み合わせて採用するなどして、コネクタ接続用ロック部材と雌コネクタを機械的に係合させることでも実現可能であるし、接着剤などでコネクタ接続用ロック部材と雌コネクタを固着することでも実現可能である。
【００７０】
前記実施形態とは別の実施形態として、操作部の長さ方向端部に係止爪を設けず、コネクタ接続用ロック部材における他構成に係止爪を設けることも考えられる。例えば、スリーブの端部に設けることも考えられる。具体的には、雌コネクタに外挿されるスリーブには、軸方向一方の端面から所定の深さで軸方向に延びる二対の切込みが形成されており、スリーブにおける各対をなす切込みの周方向間には、軸方向一方の端部側に係止爪がそれぞれ設けられていると共に、軸方向中間部分に連結部がそれぞれ接続されて、スリーブの外周側に配置されたロック用操作片が連結部によってスリーブに連結された構造によって、上記態様を実現することが可能である。本態様においても、スリーブにおける軸方向他方の端部は、雌コネクタに安定的に外挿された状態を、ロック用操作片の操作時にも保つことが可能である。また、連結部等に雌コネクタ基端側に延びると共に端部に係止爪を有するアームを設けることも考えられる。なお、切込みに代えて、変形可能な薄肉部や蛇腹部を設けても、係止爪の変位を許容することができ得る。
【００７１】
前記実施形態とは別の実施形態として、ロック用操作片が片側にしかない（ロック用操作片が一対ではなく一つだけが設けられた）態様も採用可能である。具体的には、例えば、スリーブに一つの係止爪が設けられている（［００７０］参照）一方、該係止爪と径方向で対向する位置に一つのロック用操作片が設けられて、スリーブの外周側に配されたロック用操作片が連結部によってスリーブに連結されていると共に、該ロック用操作片の軸方向一方の端部に係止爪が設けられている態様である。この場合、一つのロック用操作片の操作部を手指で押圧することで、ロック用操作片の係止爪がスリーブの係止爪に対して離れるように開き、コネクタ接続用ロック部材と雄コネクタとの係止が解除されるようになっている。本態様によれば、スリーブの軸方向他方の端部が、ロック用操作片の操作時であっても、雌コネクタに安定的に外挿された状態を保つことが可能である。また、ロック解除時に操作するロック用操作片が片側にしかないため、ロック解除操作時に各係止爪が均等に開かずロックが解除されないといった不具合を確実に防止可能である。
【符号の説明】
【００７２】
１０，５０：コネクタ接続用ロック部材、１２：雄コネクタ、１４：雌コネクタ、１６：スリーブ、１８：ロック用操作片、２０：連結部、２２，５４，５６：係止爪、２４，６０：案内面、２６：操作部、６４：当接突部
【図１】
2020189185.tif 000003
【図２】
2020189185.tif 000004
【図３】
2020189185.tif 000005
【図４】
2020189185.tif 000006
【図５】
2020189185.tif 000007
【図６】
2020189185.tif 000008
【図７】
2020189185.tif 000009
【図８】
2020189185.tif 000010
【図９】
2020189185.tif 000011
【図１０】
2020189185.tif 000012
【図１１】
2020189185.tif 000013
【図１２】
2020189185.tif 000014
【図１３】
2020189185.tif 000015
【図１４】
2020189185.tif 000016
【図１５】
2020189185.tif 000017
【図１６】
2020189185.tif 000018
【図１７】
2020189185.tif 000019
【図１８】
2020189185.tif 000020
【図１９】
2020189185.tif 000021
【図２０】
2020189185.tif 000022
【図２１】
2020189185.tif 000023
【図２２】
2020189185.tif 000024
【図２３】
2020189185.tif 000025
【図２４】
2020189185.tif 000026
【図２５】
2020189185.tif 000027
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
経管栄養剤容器に設けられた雄コネクタへ接続される雌コネクタと、該雌コネクタを保持するスリーブとを含んでおり、該スリーブには該雄コネクタへ係止される係止部を備えた一対のロック用操作片が対向位置して設けられた、経管栄養剤容器へのコネクタ接続用ロック部材において、
前記雌コネクタが軟質の弾性材からなり、円筒形状とされた前記スリーブへ内挿されていると共に、
該スリーブに対して前記一対のロック用操作片がそれぞれ撓み変形可能な連結部によって連結されている一方、
該一対のロック用操作片の周方向間には、該スリーブの長さ方向に延びる一対の長手板状部分を有している、経管栄養剤容器へのコネクタ接続用ロック部材。
【請求項２】
前記スリーブの先端部分において、前記長手板状部が該スリーブの外周側に位置している請求項１に記載のコネクタ接続用ロック部材。
【請求項３】
前記長手板状部の外面には、長手方向に抉られたように湾曲した曲面部が設けられている請求項１又は２に記載のコネクタ接続用ロック部材。
【請求項４】
前記一対の長手板状部の相互の離間距離が、前記一対のロック用操作片の前記連結部による連結部位における相互の離間距離よりも短い請求項１〜３の何れか１項に記載のコネクタ接続用ロック部材。
【手続補正２】
【補正対象書類名】明細書
【補正対象項目名】００２９
【補正方法】変更
【補正の内容】
【００２９】
本発明によれば、ロック用操作片が撓み変形可能な連結部によってスリーブへ連結されていることでロック用操作片による係止解除等の操作性が良好とされると共に、コネクタ接続時には、スリーブに設けた長手板状部分を把持して操作することができる。
なお、特に後述の如き特定の実施形態によれば、スリーブが雌コネクタに外挿装着されると共に、係止爪が雄コネクタに係止されることで、雄コネクタと雌コネクタを簡単にロックして、それら雄コネクタと雌コネクタの接続が意図せずに解除されるのを防ぐことができる。更に、かかる特定の実施形態によれば、ロック用操作片を手指で摘んで係止爪を開くことで、係止爪と雄コネクタとの係止を簡単に解除して、雄コネクタと雌コネクタの接続を解除することができる。